(57)【特許請求の範囲】
【請求項１】
構造物の屋外空間側と屋内空間側とを連通する開口部において幅方向に対向して配設され、縦方向に延在する方立と、
対向する前記方立間の幅よりも大きな幅を有し、屋外空間側の床面に配設される止水板と、
前記止水板の屋内空間側面に配設され、前記止水板の高さ方向に延在し、前記方立に押圧されて前記止水板と前記方立との間を止水する第１止水ゴムと、
前記止水板の前記床面に対向する面に配設され、前記止水板の幅方向全長に亘って延在し、前記止水板と前記床面との間を止水する第２止水ゴムと、
前記方立に着脱自在に固定された支持部材と、
を備え、
前記支持部材は、前記方立に対して固定された状態で前記第１止水ゴムを前記方立に押圧するとともに、
前記支持部材は、
前記方立に対して前記止水板と反対側に配設され、前記方立に前記止水板と反対側から当接する第１当接部と、前記止水板に対して前記方立と反対側に配設され、前記止水板に前記方立と反対側から当接する第２当接部と、前記第２当接部に配設され、前記第１当接部と前記第２当接部との間に前記止水板および前記方立を配置した状態で前記第１当接部に対して進退自在に配設された押圧部材と、
を有し、
前記押圧部材は、前記第１当接部側に進出することで前記止水板を前記方立に押圧する、開口部の防水装置。
【請求項２】
構造物の屋外空間側と屋内空間側とを連通する開口部において幅方向に対向して配設され、縦方向に延在する方立と、
対向する前記方立間の幅よりも大きな幅を有し、屋外空間側の床面に配設される止水板と、
前記止水板の屋内空間側面に配設され、前記止水板の高さ方向に延在し、前記方立に押圧されて前記止水板と前記方立との間を止水する第１止水ゴムと、
前記止水板の前記床面に対向する面に配設され、前記止水板の幅方向全長に亘って延在し、前記止水板と前記床面との間を止水する第２止水ゴムと、
前記方立に着脱自在に固定された支持部材と、
を備え、
前記支持部材は、前記方立に対して固定された状態で前記第１止水ゴムを前記方立に押圧するとともに、
前記支持部材は、
前記方立に対して前記止水板と反対側に配設され、前記方立に前記止水板と反対側から当接する第１当接部と、前記止水板に対して前記方立と反対側に配設され、前記止水板に前記方立と反対側から当接する第２当接部と、を有し、
前記第１当接部と前記第２当接部との間に前記止水板および前記方立を挟んで、前記止水板を前記方立に押圧する、開口部の防水装置。
【発明の詳細な説明】
【技術分野】
【０００１】
本発明は、開口部の防水装置に関する。
【背景技術】
【０００２】
従来の止水板として、例えば、特許文献１には、左右に開放面を対向させて並列する溝形のレール材と、この各レール材の下端を連結する接地板と、レール材内に両端縁を嵌入して落し込む止水板と、この止水板と接地板との対向面一方と、止水板とレール材との対向面一方にそれぞれ配設されたパッキング材を備えた止水装置が開示されている。この止水装置は、第１加圧装置および第２加圧装置によりパッキング材を圧縮して接地板と止水板の下縁との間の水漏れおよびレール材と止水板の端縁との間の水漏れを防止する。
【先行技術文献】
【特許文献】
【０００３】
【特許文献１】特開２００１−３２９７５９号公報
【発明の概要】
【発明が解決しようとする課題】
【０００４】
上述の特許文献１に記載の止水装置は、上記の構成により出入口から家屋やその他の建物内への浸水を阻止するものであるが、構造物側にレール材や接地板を含む大型の保持部材を配設する必要がある。ところが、例えば、建物の正面入口のように人目に付く場所は意匠性が重視されるため、構造物側に大型の保持部材を配設することは敬遠されることがある。また、開口部の防水装置は、誰でも容易に着脱できるものが望まれている。
【０００５】
本発明は、上記の事情に鑑みてなされたものであって、開口部の意匠性を大きく損なわず、誰でも容易に着脱自在な開口部の防水装置を提供することを目的とする。
【課題を解決するための手段】
【０００６】
上記目的を達成するために、本発明に係る開口部の防水装置は、構造物の屋外空間側と屋内空間側とを連通する開口部において幅方向に対向して配設され、縦方向に延在する方立と、対向する前記方立間の幅よりも大きな幅を有し、屋外空間側の床面に配設される止水板と、前記止水板の屋内空間側面に配設され、前記止水板の高さ方向に延在し、前記方立に押圧されて前記止水板と前記方立との間を止水する第１止水ゴムと、前記止水板の前記床面に対向する面に配設され、前記止水板の幅方向全長に亘って延在し、前記止水板と前記床面との間を止水する第２止水ゴムと、前記方立に着脱自在に固定された支持部材と、を備え、前記支持部材は、前記方立に対して固定された状態で前記第１止水ゴムを前記方立に押圧するとともに、前記支持部材は、前記方立に対して前記止水板と反対側に配設され、前記方立に前記止水板と反対側から当接する第１当接部と、前記止水板に対して前記方立と反対側に配設され、前記止水板に前記方立と反対側から当接する第２当接部と、前記第２当接部に配設され、前記第１当接部と前記第２当接部との間に前記止水板および前記方立を配置した状態で前記第１当接部に対して進退自在に配設された押圧部材と、を有し、前記押圧部材は、前記第１当接部側に進出することで前記止水板を前記方立に押圧する。
【０００７】
また、本発明に係る開口部の防水装置は、構造物の屋外空間側と屋内空間側とを連通する開口部において幅方向に対向して配設され、縦方向に延在する方立と、対向する前記方立間の幅よりも大きな幅を有し、屋外空間側の床面に配設される止水板と、前記止水板の屋内空間側面に配設され、前記止水板の高さ方向に延在し、前記方立に押圧されて前記止水板と前記方立との間を止水する第１止水ゴムと、前記止水板の前記床面に対向する面に配設され、前記止水板の幅方向全長に亘って延在し、前記止水板と前記床面との間を止水する第２止水ゴムと、前記方立に着脱自在に固定された支持部材と、を備え、前記支持部材は、前記方立に対して固定された状態で前記第１止水ゴムを前記方立に押圧するとともに、前記支持部材は、前記方立に対して前記止水板と反対側に配設され、前記方立に前記止水板と反対側から当接する第１当接部と、前記止水板に対して前記方立と反対側に配設され、前記止水板に前記方立と反対側から当接する第２当接部と、を有し、前記第１当接部と前記第２当接部との間に前記止水板および前記方立を挟んで、前記止水板を前記方立に押圧する。
【発明の効果】
【０００９】
本発明に係る開口部の防水装置は、開口部に止水板を保持するための支持部材が常時設置されないため、開口部の意匠性を大きく損なわず、容易に着脱可能である、という効果を奏する。
【図面の簡単な説明】
【００１０】
【図１】図１は、実施形態１に係る開口部の防水装置の概略構成を表す平面図である。
【図２】図２は、図１に示された開口部の防水装置の概略構成を表す正面図である。
【図３】図３は、図１に示された開口部の防水装置の概略構成を表す斜視図である。
【図４】図４は、図１に示された開口部の防水装置を表す斜視図である。
【図５】図５は、図１に示された開口部の防水装置を表す断面図である。
【図６】図６は、実施形態２に係る開口部の防水装置を表す斜視図である。
【図７】図７は、実施形態３に係る開口部の防水装置を表す斜視図である。
【図８】図８は、実施形態４に係る開口部の防水装置を表す斜視図である。
【図９】図９は、実施形態５に係る開口部の防水装置の支持部材を示す斜視図である。
【図１０】図１０は、図９に示された支持部材を方立に取付けた状態を示す斜視図である。
【図１１】図１１は、図９に示された支持部材のＡ−Ａ断面図である。
【図１２】図１２は、開口部の防水装置の止水板を表す斜視図である。
【図１３】図１３は、実施形態６に係る開口部の防水装置の支持部材を示す斜視図である。
【図１４】図１４は、図１３に示された支持部材を方立に取付けた状態を示す斜視図である。
【図１５】図１５は、開口部の防水装置の止水板を表す斜視図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態１］
図１は、実施形態１に係る開口部の防水装置の概略構成を表す平面図である。図１，図２に示す実施形態の開口部の防水装置１は、開口部Ｏから構造物Ｓの内部に水が浸入することを防止するものである。開口部Ｏは、構造物Ｓの壁部Ｗなどに形成され、構造物Ｓの一方の空間側（例えば、屋外空間側）と他方の空間側（例えば、屋内空間側）とを連通するように形成される。なお、防止とは、阻止や抑制などの意味を含むものとする。
【００１３】
このような構造物Ｓの開口部Ｏには、開閉体としてシャッターや開閉扉が設置されていることが多い。例えば、地下駐車場の入口や、店舗の入口等にもシャッターや開閉扉が設置されていることが多い。シャッターは、隙間が多い構造であるため、ゲリラ豪雨や洪水時のように想定以上の降水量となるとシャッターの隙間を介して浸水して施設が被害に遭う可能性がある。また、開閉扉は、扉間および各扉と開口部との間に隙間があるため、同様に施設が被害に遭う可能性がある。
【００１４】
図１ないし図３に示す実施形態の開口部の防水装置１は、ビル，家屋，倉庫等の構造物を含む構造物Ｓに形成された開口部Ｏを開放あるいは閉塞する開閉体（開閉扉）２を通して構造物Ｓの内部に水が浸入することを防止するものである。
【００１５】
なお、以下の説明では、図１に示すＸ方向は、水平方向に沿った方向であって後述する枠体３の一対の縦枠部材（方立）３１が向かい合う「扉幅方向」である。また、図１に示すＹ方向は、上流側（屋外空間側）から下流側（屋内空間側）に向かう「奥行方向」である。また、図２に示すＺ方向は、枠体３の一対の縦枠部材３１が延在する「上下方向」である。ここで、屋内空間側とは、水の浸入を防止、すなわち、水の浸入を阻止や抑制したい側であり、屋外空間側とは、浸入可能性のある水が流れてくる側のことである。なお、屋外空間側や屋内空間側とは、水が浸入する可能性がある場合の上流側や下流側を意味する便宜上の文言である。本発明は、例えば廊下等の通路のような家屋や部屋等の概念が必ずしも明確にならない場所に設置された扉に対しても適用できる。
【００１６】
開閉扉２は、図１に示すように、枠体３の屋内空間側に配設され、扉幅方向にスライド可能に支持された両開き式の一対の扉２１を有する。開閉扉２は、扉２１が開口部Ｏを閉塞させる閉塞位置と、開口部Ｏを開放させる開放位置とに亘って枠体３に対して扉幅方向にスライドすることで、開口部Ｏを開放あるいは閉塞する。具体的に、開閉扉２は、一対の扉２１が互いに近付いて開口部Ｏを閉塞し、一対の扉２１が互いに離間して開口部Ｏを開放する。このような扉２１の移動は、手動でなされても、モータ等の駆動装置によって自動でなされてもよい。また、開閉扉２が後述する止水板４と接触しないため、開閉扉２は、止水板４を開口部Ｏに設置した状態で開閉可能である。
【００１７】
扉２１は、図示しないガイドレールによって案内される。ガイドレールは、開口部Ｏの上下両端に配設され、壁部Ｗの表面と平行である。扉２１の上下方向両端部は、それぞれガイドレールの溝部に挿入されている。溝部は、開閉方向、すなわち、扉幅方向に延在しており、扉２１を扉幅方向にスライド自在に案内する。図１に示すように、扉２１の扉幅方向の両端には、扉２１よりも厚い扉側縦方立２１ａが配設されている。また、図２に示すように、扉２１の下端部には、扉２１よりも厚い扉側幅木２１ｂが配設されている。扉側縦方立２１ａの厚みは、扉側幅木２１ｂの厚みと等しい。なお、本発明でいう床面Ｆとは、説明上分かりやすくするための便宜上の表現であって、通常の床面Ｆのみならず、コンクリート面や地面等の開口部Ｏの下方に位置する面を総称する。
【００１８】
枠体３は、図１に示すように、開口部Ｏの周囲の壁部Ｗよりも厚く、防錆性を有する金属材で構成されている。枠体３は、開口部Ｏの周囲を囲むように構造物Ｓに固定的に設置されている。枠体３は、図２に示すように、左右一対の縦枠部材（方立）３１と、上枠部材３２と、下枠部材（幅木）３３とを含んで構成される。一対の縦枠部材３１と上枠部材３２と下枠部材３３は、それぞれ板状の金属材により中空状の断面形状に形成されている。
【００１９】
縦枠部材３１は、開口部Ｏの扉幅方向の両端部に一対が配設され、上下方向に延在している。一対の縦枠部材３１は、図１，図２に示すように、開閉扉２よりも屋外空間側に配設されている。一対の縦枠部材３１は、扉幅方向において開口部Ｏの空間部分を挟んで対向する対向面３１ａを有している。上枠部材３２は、図２に示すように、開口部Ｏの上側に配設されている。下枠部材３３は、開口部Ｏと隣接する壁部Ｗの下側において床面Ｆの上方に配設されている。上枠部材３２および下枠部材３３は、扉幅方向に延在している。一対の縦枠部材３１の上端部と上枠部材３２の両端部とは、開口部Ｏの内面側にて連結されている。また、一対の縦枠部材３１の下端部と下枠部材３３の一端部とは、連結されている。このように構成された枠体３は、全体として開口部Ｏに対応した形状である。
【００２０】
止水板４は、図１ないし図５に示すように、開口部Ｏの下側の領域を閉塞することが可能な幅および高さを有する直方体状である。止水板４は、防錆性を有する板状の金属材を加工してパネル状に形成されている。止水板４は、人が跨ぐことで開閉扉２を介して構造物Ｓの出入りが可能である。止水板４は、開口部Ｏの幅Ｌ１、すなわち、対向する縦枠部材３１間の幅よりも大きな幅で、人が跨ぐことができる高さ、具体的には例えば、数１０ｃｍに設定されている。止水板４は、開口部Ｏの床面Ｆから数１０ｃｍの高さを閉塞し、浸水時に屋内空間側への水の浸入を防止する。この止水板４は、屋外空間側の床面Ｆに配設される。
【００２１】
また、止水板４は、持ち運び自在な重量であり、浸水時の水圧に耐え得る剛性を有している。止水板４は、より詳しくは、アルミを含む防錆性を有する軽量の金属板を断面形状がコの字型に加工して骨材とし、４つの骨材を組み合わせた四角形のフレームを有する。このフレームの正面および背面の開口部が四角形のパネルでそれぞれ閉塞されて、止水板４は、形成される。また、フレームとパネルとで囲われた内部の空間に充填剤を充填することで、止水板４は、軽量で剛性の高いものとなる。この止水板４は、浸水時、屋外空間側からの水圧によって屋内空間側、すなわち、縦枠部材３１に押圧されて押し付けられる。
【００２２】
縦止水ゴム（第１止水ゴム）５は、止水板４の屋内側面４ａの扉幅方向の両端部に一対が配設されている。縦止水ゴム５は、屋内側面４ａにおいて扉幅方向の端部に、止水板４の短手方向（高さ方向）全長に亘って配設されている。縦止水ゴム５は、図５に示すように、止水板４が枠体３に設置された状態で、止水板４と枠体３の縦枠部材３１との間に介在する。このとき、縦止水ゴム５は、縦枠部材３１に押圧されて弾性変形している。一対の縦止水ゴム５は、一対の縦枠部材３１に密着している。このため、一対の縦止水ゴム５は、止水板４と一対の縦枠部材３１の当接部との間を水が流れることを抑制する。すなわち、一対の縦止水ゴム５は、一対の縦枠部材３１において屋外空間側から屋内空間側に水が浸入することを抑制する。
【００２３】
底面止水ゴム（第２止水ゴム）６は、止水板４の床面Ｆと対向する面、すなわち、止水板４の底面に長手方向（扉幅方向）全長に亘って配設されている。底面止水ゴム６は、図５に示すように、止水板４が枠体３に設置された状態で、止水板４と床面Ｆとの間に介在する。このとき、底面止水ゴム６は、床面Ｆに押圧されて弾性変形している。このため、底面止水ゴム６は、床面Ｆに密着している。このため、底面止水ゴム６は、止水板４と床面Ｆの当接部との間を水が流れることを抑制する。すなわち、底面止水ゴム６は、屋外空間側から屋内空間側に水が浸入することを抑制する。
【００２４】
支持部材７は、図３ないし図５に示すように、止水板４を縦枠部材３１に押圧し、縦枠部材３１に着脱自在に固定されるものである。支持部材７は、縦枠部材３１に対して固定された状態で縦止水ゴム５を縦枠部材３１に押圧する。支持部材７は、板状の金属材料を曲げ加工して形成される。支持部材７は、一対の縦枠部材３１の扉幅方向の内側、すなわち、一対の縦枠部材３１の対向面３１ａ側に一対が配設される。支持部材７は、基部７１と、第１当接部７２と、第２当接部７３と、押圧ねじ（押圧部材）７４と、を有している。
【００２５】
基部７１は、図４，図５に示すように、矩形状の部分である。基部７１は、奥行方向に長辺が延在し、Ｚ方向に短辺が延在している。基部７１は、奥行方向の長さ（奥行）が、止水板４の厚さより大きい。基部７１には、第１当接部７２の壁部７２ａと第２当接部７３の壁部７３ａとによって囲われた、側面視において下側に開口したコの字型の保持部７１ｂが形成されている。保持部７１ｂは、その内側に止水板４の上側を収容する。基部７１は、止水板４が枠体３に設置された状態で、底面７１ａが止水板４の上面４ｄに当接する。このとき、基部７１は、止水板４を床面Ｆに押圧する。
【００２６】
第１当接部７２は、基部７１の奥行方向の一端部（下流側の端部）に延設されている。第１当接部７２は、縦枠部材３１に対して止水板４と反対側に配設され、縦枠部材３１に止水板４と反対側から当接する。この第１当接部７２は、上面視においてＬ字型に形成されている。具体的に、第１当接部７２は、壁部７２ａと、壁部７２ｂと、曲部７２ｃと、を有する。壁部７２ａは、基部７１の奥行方向の一端部において上方および下方に延設されている。壁部７２ａは、縦枠部材３１の対向面３１ａと対向する。壁部７２ｂは、縦枠部材３１の後面３１ｂと対向する。壁部７２ｂは、扉幅方向の外側にて屋内空間側に凸状に湾曲して縦枠部材３１の後面３１ｂから離れている。曲部７２ｃは、壁部７２ａと壁部７２ｂとの間に延在する。曲部７２ｃは、縦枠部材３１の対向面３１ａおよび後面３１ｂの間の角部に対向する。第１当接部７２は、止水板４が枠体３に設置された状態で、縦枠部材３１の対向面３１ａおよび後面３１ｂに屋内空間側から当接する。
【００２７】
第２当接部７３は、基部７１の奥行方向の他端部（上流側の端部）に延設されている。第２当接部７３は、止水板４に対して縦枠部材３１と反対側に配設され、止水板４に縦枠部材３１と反対側から当接する。このような第１当接部７２と第２当接部７３との間には、止水板４および縦枠部材３１が配置される。この第２当接部７３は、上面視においてＬ字型に形成されている。具体的に、第２当接部７３は、壁部７３ａと、壁部７３ｂと、曲部７３ｃと、を有する。壁部７３ａは、基部７１の奥行方向の他端部において下方に延設されている。壁部７３ａは、止水板４が枠体３に設置された状態で、屋内空間側端面が止水板４の屋外側面４ｂと当接する。壁部７３ｂは、止水板４の屋外側面４ｂと対向する。壁部７３ｂには、後述する押圧ねじ７４と螺合するねじ孔が板厚方向に貫通している。曲部７３ｃは、壁部７３ａと壁部７３ｂとの間に延在する。曲部７３ｃは、縦枠部材３１の対向面３１ａおよび後面３１ｂの間の角部に対向する。第２当接部７３は、止水板４が枠体３に設置された状態で、壁部７３ａの屋内空間側端面が止水板４の屋外側面４ｂに屋外空間側から当接する。
【００２８】
押圧ねじ７４は、第１当接部７２に対して進退自在に配設されている。押圧ねじ７４は、先端部が止水板４の屋外側面４ｂに屋外空間側から当接可能である。具体的に、押圧ねじ７４は、壁部７３ｂのねじ孔に螺合させて締結したり緩めたりすることで第１当接部７２に対して進退する。より詳しくは、押圧ねじ７４を締結すると、押圧ねじ７４は、第１当接部７２側に前進する。押圧ねじ７４の先端が止水板４の屋外側面４ｂに当接した状態から、さらに押圧ねじ７４を締結すると、押圧ねじ７４は、その先端部が止水板４を縦枠部材３１に押圧する。このとき、押圧ねじ７４は、その先端と第１当接部７２の壁部７２ｂとの間に縦枠部材３１および止水板４を挟持する。これにより、支持部材７は、縦枠部材３１に固定される。押圧ねじ７４を緩めると、押圧ねじ７４は、第１当接部７２側から後退する。押圧ねじ７４の先端と第１当接部７２の壁部７２ｂとの間が離間すると、押圧力（止水板４の屋外側面４ｂを縦枠部材３１に押圧する方向に作用する圧力）は、ゼロになる。これにより、支持部材７は、縦枠部材３１から取り外される。
【００２９】
上記のように構成される開口部の防水装置１の使用方法について説明する。開口部Ｏに止水板４を設置する際、作業者は、保管場所から止水板４を運搬する。
【００３０】
作業者は、開口部Ｏにおける止水板４の設置位置に、屋外側から止水板４を載置する。具体的に、作業者は、止水板４の底面４ｃを止水板４の設置位置、すなわち、一対の縦止水ゴム５が一対の縦枠部材３１と当接する位置に合わせて、止水板４を床面Ｆに垂直に立設させる。この状態で、底面止水ゴム６は、自重により床面Ｆに押圧され弾性変形している。
【００３１】
作業者は、止水板４を床面Ｆおよび縦枠部材３１に押圧しながら、支持部材７を縦枠部材３１に固定する。具体的に、作業者は、止水板４の上方において、第１当接部７２を縦枠部材３１の対向面３１ａおよび後面３１ｂに当接させる。そして、作業者は、基部７１の底面７１ａが止水板４に当接するまで、支持部材７を縦枠部材３１に沿って下方にスライドさせる。そして、基部７１の底面７１ａが止水板４に当接したら、作業者は、止水板４を床面Ｆおよび縦枠部材３１に押圧しながら、押圧ねじ７４を締結する。図５は、押圧ねじ７４が締結された状態、すなわち、止水板４が枠体３に設置された状態を示している。このとき、縦止水ゴム５および底面止水ゴム６は、弾性変形して潰れた状態であり、縦止水ゴム５および底面止水ゴム６の復元力によって、床面Ｆ，一対の縦枠部材３１に押圧されて密着している。この状態では、弾性変形して潰れた縦止水ゴム５および底面止水ゴム６を介して、止水板４と床面Ｆ，一対の縦枠部材３１とが密着している。止水板４を開口部Ｏに設置した後、屋外空間側の水位が上昇すると、止水板４に屋外空間側から作用する水圧は、増加する。そして、止水板４は、屋外空間側の水位上昇に伴ってより強固に縦枠部材３１に押し付けられる。このため、止水板４の開口部Ｏへの設置時において、支持部材７は、作業者の手で加えることができる程度の力で止水板４を床面Ｆおよび縦枠部材３１に押圧した状態で固定できればよい。
【００３２】
このようにして、止水板４は、開口部Ｏに設置される。底面止水ゴム６と床面Ｆとの摩擦力が作用しているため、止水板４は、床面Ｆに対して滑ってずれることが抑制される。また、止水板４が支持部材７および押圧ねじ７４によって縦枠部材３１に押圧された状態で固定されているため、止水板４は、上側が強固に支持される。これらのことにより、浸水時に止水板４に水圧が作用したとしても、止水板４は、滑ってずれることが避けられる。
【００３３】
開口部Ｏに設置された止水板４を取り外す際、作業者は、一方の手で止水板４を把持した状態で、他方の手で押圧ねじ７４を緩める。そして、作業者は、支持部材７を縦枠部材３１から取り外し、止水板４を開口部Ｏから取り外す。そして、作業者は、止水板４を保管場所まで運搬して収納する。このようにして、開口部Ｏに設置された止水板４は、取り外される。
【００３４】
以上で説明した実施形態に係る開口部の防水装置１によれば、支持部材７は、縦枠部材３１に着脱自在とすることができる。このため、開口部Ｏへ止水板４を設置していない通常時には、開口部Ｏにレール材や接地板を含む大型の支持部材が配設されていないので、開口部Ｏの意匠性を損なわない。このように、開口部の防水装置１は、開口部Ｏの美観を損なわないので、構造物Ｓの正面入口のように人目に付く場所に設置することにも適している。
【００３５】
また、開口部Ｏへの止水板４の設置時（枠体３への止水板４の設置時）は、止水板４を床面Ｆおよび縦枠部材３１に押圧しながら、支持部材７を縦枠部材３１に固定する。このとき、押圧ねじ７４を締結するだけで、支持部材７は、縦枠部材３１に固定され、止水板４は、開口部Ｏに容易に設置される。また、開口部Ｏに設置された止水板４の取り外し時は、押圧ねじ７４を緩めるだけで支持部材７が縦枠部材３１から容易に取り外される。このように、開口部の防水装置１は、止水板４の設置、取り外しに工具を必要とせず、誰でも短時間で容易に設置、取り外しができる。
【００３６】
また、開口部Ｏへの止水板４の設置時には、縦止水ゴム５が止水板４と一対の縦枠部材３１との間に介在し、底面止水ゴム６が止水板４と床面Ｆとの間に介在する。そして、一対の縦止水ゴム５は、一対の縦枠部材３１に押圧され、底面止水ゴム６は、床面Ｆに押圧されて密着し弾性変形する。このように縦止水ゴム５および底面止水ゴム６によって、止水板４と床面Ｆおよび止水板４と一対の縦枠部材３１の当接部の間を水が流れることが抑制される。このように、開口部の防水装置１は、屋外空間側から屋内空間側に水が浸入することを防止できる。
【００３７】
しかも、開口部の防水装置１は、既存の構造物Ｓに改修工事を必要としない。そのため、開口部の防水装置１は、既設の構造物Ｓを含む様々な構造物Ｓに適用することができる。
【００３８】
また、押圧ねじ７４が第１当接部７２に対して進退自在であるので、開口部の防水装置１は、止水板４の厚さや縦枠部材３１の奥行に違いがあっても、止水板４を枠体３に適切に設置することができる。これにより、どんな場所であっても、止水板４を適切に設置することができる。
【００３９】
また、浸水時に止水板４に水圧が作用したとしても、止水板４は、構造物Ｓに固定的に配設された縦枠部材３１の全面で支持されるため、水圧を分散して支持することができる。このため、開口部の防水装置１は、簡易な構成でも、水圧に耐え得る強度を備えることができる。
【００４０】
さらに、開口部Ｏに設置された止水板４は、開閉扉２と接触していないので、開閉扉２は開閉自在であり、止水板４を跨ぐことで開閉扉２を介して構造物Ｓの出入りが可能である。
【００４１】
［実施形態２］
図６を参照して、実施形態２について説明する。なお、実施形態１と同一部分には、同一符号を付して説明を省略する。実施形態２に係る開口部の防水装置１００は、支持部材１１０の構成が実施形態１と異なる。
【００４２】
支持部材１１０は、止水板４を縦枠部材３１に押圧し、縦枠部材３１に着脱自在に固定されるものである。支持部材１１０は、基部１１１と、第１当接部１１２と、第２当接部１１３と、を有している。基部１１１は、実施形態１の基部７１と同様に形成されている。第１当接部１１２は、実施形態１の基部７２と同様に形成されている。第２当接部１１３は、基部１１１の奥行方向の他端部（上流側）において、扉幅方向の外側に延設されている。第２当接部１１３は、止水板４の屋外側面４ｂと対向する。第２当接部１１３は、下側が屋内空間側にて凸状に湾曲して止水板４の屋外側面４ｂから離れている。第２当接部１１３は、基部１１２の壁部１１２ｂとの距離ｄが、縦枠部材３１の奥行と止水板４の厚さの和よりわずかに小さい。このため、第２当接部１１３は、止水板４が枠体３に設置された状態で、第１当接部１１２の壁部１１２ｂとの間に縦枠部材３１と止水板４とを挟持する。
【００４３】
以上で説明した実施形態に係る開口部の防水装置１００によれば、実施形態１と同様に、支持部材１１０は、縦枠部材３１に着脱自在とすることができる。このように、開口部の防水装置１００は、開口部Ｏの美観を損なわないので、構造物Ｓの正面入口のように人目に付く場所に設置することにも適している。
【００４４】
また、支持部材１１０は、ねじなどを使用せずに縦枠部材３１に着脱自在とすることができる。このため、開口部の防水装置１００は、止水板４の設置、取り外しに工具を必要とせず、誰でも短時間で容易に設置、取り外しができる。
【００４５】
［実施形態３］
図７を参照して、実施形態３について説明する。なお、実施形態１と同一部分には、同一符号を付して説明を省略する。実施形態３に係る開口部の防水装置１２０は、支持部材１３０の構成が実施形態１と異なる。
【００４６】
支持部材１３０は、止水板４を縦枠部材３１に押圧し、縦枠部材３１に着脱自在に固定されるものである。支持部材１３０は、板状の金属材料で形成される。支持部材１３０は、平面視において鉤型に形成されている。支持部材１３０は、基部１３１と、第１当接部１３２と、長孔１３３と、押圧ねじ（押圧部材）１３４と、を有している。この支持部材１３０は、一対の縦枠部材３１にそれぞれ配設される。支持部材１３０は、一対の縦枠部材３１の扉幅方向の内側、すなわち、一対の縦枠部材３１の対向面３１ａ側に一対が配設される。
【００４７】
基部１３１は、矩形状の板材で形成されている。基部１３１は、縦枠部材３１の奥行と止水板４の厚さとの和より大きい奥行を有する。第１当接部１３２は、基部１３１の奥行方向の一端部において扉幅方向の外側、すなわち、縦枠部材３１側に延設されている。第１当接部１３２は、縦枠部材３１の後面３１ｂに対向する。第１当接部１３２は、止水板４が枠体３に設置された状態で、縦枠部材３１の後面３１ｂに当接する。
【００４８】
ガイド孔１３３は、基部１３１を厚さ方向（上下方向）に貫通している。ガイド孔１３３は、基部１３１の奥行方向に延在する長孔である。このガイド孔１３３は、押圧ねじ１３４が第１当接部１３２に対して進退する際、すなわち、奥行方向にスライドする際のガイドとして機能する。押圧ねじ１３４は、第１当接部１３２に対して進退自在に配設されている。具体的に、押圧ねじ１３４は、ガイド孔１３３に沿ってスライドすることで第１当接部１３２に対して進退する。この押圧ねじ１３４は、先端部が止水板４の上面４ｄに形成されたねじ孔に螺合する。止水板４を第１当接部１３２に押圧した状態で押圧ねじ１３４を締結することにより、支持部材１３０は、縦枠部材３１に固定される。これにより、止水板４は、縦枠部材３１に押圧され、かつ、床面Ｆに押圧される。
【００４９】
上記のように構成される開口部の防水装置１２０の使用方法について説明する。作業者は、開口部Ｏにおける止水板４の設置位置に屋外空間側から止水板４を載置して、止水板４を縦枠部材３１と当接させる。
【００５０】
そして、作業者は、止水板４を支持部材１３０によって床面Ｆおよび縦枠部材３１に押圧しながら、支持部材１３０を縦枠部材３１に固定する。具体的に、作業者は、第１当接部１３２を対向面３１ａおよび後面３１ｂの間の角部に当接させた状態で、基部１３１の底面１３１ａを止水板４に当接させる。そして、基部１３１の底面１３１ａが止水板４に当接したら、作業者は、止水板４を床面Ｆおよび縦枠部材３１に押圧しながら、押圧ねじ１３４を締結する。
【００５１】
開口部Ｏに設置された止水板４を取り外す際、作業者は、一方の手で止水板４を把持した状態で、他方の手で押圧ねじ１３４を緩める。そして、作業者は、支持部材１３０を縦枠部材３１から取り外し、止水板４を開口部Ｏから取り外す。このようにして、開口部Ｏに設置された止水板４が取り外される。
【００５２】
以上で説明した実施形態に係る開口部の防水装置１２０によれば、実施形態１と同様に、支持部材１３０は、縦枠部材３１に着脱自在である。
【００５３】
また、開口部Ｏへの止水板４の設置時は、止水板４を床面Ｆおよび縦枠部材３１に押圧しながら、支持部材１３０を縦枠部材３１に固定する。このとき、押圧ねじ１３４を締結するだけで、止水板４は開口部Ｏに容易に設置される。また、開口部Ｏに設置された止水板４の取り外し時は、押圧ねじ１３４を緩めるだけで支持部材１３０が縦枠部材３１から取り外され、止水板４が取り外される。開口部の防水装置１２０は、止水板４の設置、取り外しに工具を必要とせず、誰でも短時間で容易に設置、取り外しができる。
【００５４】
また、開口部Ｏへの止水板４の設置時には、縦止水ゴム５は、支持部材１３０の第１当接部１３２と押圧ねじ１３４とによって一対の縦枠部材３１に押圧される。また、底面止水ゴム６は、押圧ねじ１３４によって床面Ｆに押圧されて密着し弾性変形する。このように縦止水ゴム５および底面止水ゴム６によって、止水板４と床面Ｆおよび止水板４と一対の縦枠部材３１の当接部の間を水が流れることが抑制される。すなわち、開口部の防水装置１２０によって、屋外空間側から屋内空間側に水が浸入することを防止できる。
【００５５】
［実施形態４］
図８を参照して、実施形態４について説明する。なお、実施形態１と同一部分には、同一符号を付して説明を省略する。実施形態４に係る開口部の防水装置２００は、支持部材２１０の構成が実施形態１と異なる。
【００５６】
支持部材２１０は、保持部２１１と、上壁部２１２と、前壁部２１３と、固定ねじ２１４と、押圧ねじ２１５と、押圧ねじ２１６と、を有する。
【００５７】
保持部２１１は、縦枠部材３１の対向面３１ａと側面３１ｄを挟持して保持するものである。保持部２１１は、上面視において屋内空間側が開口したコの字型に形成されている。この保持部２１１には、後述する固定ねじ２１４と螺合するねじ孔が板厚方向に貫通している。保持部２１１の縦枠部材３１の前面３ｃと対向する面を基部２１１ａという。
【００５８】
上壁部２１２は、基部２１１ａの下端部から屋外空間側に延設されている。上壁部２１２は、基部２１１ａの扉幅方向の幅と同じ幅を有する。上壁部２１２は、止水板４の厚さよりも大きい奥行を有する。上壁部２１２は、止水板４の上面４ｄと対向する。この上壁部２１２には、後述する押圧ねじ２１６と螺合するねじ孔が板厚方向に貫通している。
【００５９】
前壁部２１３は、上壁部２１２の前端部から下方に延設されている。前壁部２１３は、保持部２１１の基部２１１ａの扉幅方向の幅と同じ幅を有する。前壁部２１３は、止水板４の前面４ｂと対向する。この前壁部２１３には、後述する押圧ねじ２１５と螺合するねじ孔が板厚方向に貫通している。
【００６０】
固定ねじ２１４は、保持部２１１のねじ孔と螺合する。固定ねじ２１４を締結すると、固定ねじ２１４の先端部が止水板４を縦枠部材３１に押圧する。これにより、保持部２１１は、縦枠部材３１に固定される。
【００６１】
押圧ねじ２１５は、縦枠部材３１に対して奥行方向に進退自在に配設されている。押圧ねじ２１５は、先端部が止水板４の屋外側面４ｂに屋外空間側から当接可能である。押圧ねじ２１５を締結することにより、先端部が止水板４を縦枠部材３１に押圧する。
【００６２】
押圧ねじ２１６は、止水板４の上面４ｄに対して上下方向に進退自在に配設されている。押圧ねじ２１６は、先端部が止水板４の上面４ｄに上方から当接可能である。押圧ねじ２１６を締結することにより、先端部が止水板４を床面Ｆに押圧する。
【００６３】
上記のように構成される開口部の防水装置２００の使用方法について説明する。作業者は、開口部Ｏにおける止水板４の設置位置に屋外空間側から止水板４を載置して、止水板４を縦枠部材３１と当接させる。
【００６４】
そして、止水板４が床面Ｆから垂直となった状態で、作業者は、支持部材２１０を縦枠部材３１に固定する。具体的に、作業者は、保持部２１１によって縦枠部材３１の対向面３１ａと側面３１ｄを挟んだ状態で、基部２１１ａを縦枠部材３１の前面３１ｃに当接させる。そして、作業者は、固定ねじ２１４を締結して、支持部材２１０を縦枠部材３１に固定する。そして、作業者は、押圧ねじ２１５を締結して、止水板４を縦枠部材３１に押圧する。そして、作業者は、押圧ねじ２１６を締結して、止水板４を床面Ｆに押圧する。
【００６５】
開口部Ｏに設置された止水板４を取り外す際は、作業者は、一方の手で止水板４を把持した状態で、他方の手で押圧ねじ２１６，２１５，固定ねじ２１４を緩める。そして、作業者は、支持部材２１０を縦枠部材３１から取り外して、止水板４を開口部Ｏから取り外す。このようにして、開口部Ｏに設置された止水板４が取り外される。
【００６６】
以上で説明した実施形態に係る開口部の防水装置２００によれば、実施形態１と同様に、支持部材２１０は、縦枠部材３１に着脱自在である。
【００６７】
また、開口部Ｏへの止水板４の設置時は、固定ねじ２１４を締結して支持部材２１０を縦枠部材３１に固定し、押圧ねじ２１５，２１６を締結するだけで、止水板４が開口部Ｏに容易に設置される。また、開口部Ｏに設置された止水板４の取り外し時は、３つのねじ、すなわち、押圧ねじ２１６，２１５，固定ねじ２１４を緩めるだけで支持部材２１０が縦枠部材３１から取り外されて、止水板４が取り外される。開口部の防水装置２００は、止水板４の設置、取り外しに工具を必要とせず、誰でも短時間で容易に設置、取り外しができる。
【００６８】
また、開口部Ｏへの止水板４の設置時には、縦止水ゴム５は、押圧ねじ２１５によって一対の縦枠部材３１に押圧されて密着し弾性変形する。また、底面止水ゴム６は、押圧ねじ２１６によって床面Ｆに押圧されて密着し弾性変形する。このように縦止水ゴム５および底面止水ゴム６によって、止水板４と床面Ｆ、止水板４と一対の縦枠部材３１の当接部との間を水が流れることが抑制される。すなわち、開口部の防水装置２００によって、屋外空間側から屋内空間側に水が浸入することを防止できる。
【００６９】
［実施形態５］
図９ないし図１２を参照して、実施形態５について説明する。なお、実施形態１と同一部分には、同一符号を付して説明を省略する。実施形態５に係る開口部の防水装置３００は、主として、支持部材３１０の構成が実施形態１と異なる。
【００７０】
支持部材３１０は、主として、前壁３１１ａと、側壁３１１ｂと、側壁３１１ｃと、上壁３１１ｅと、固定ねじ３１２と、係止部材３１３と、押圧ねじ３１４と、縦止水ゴム３１５と、底面止水ゴム３１６と、を有する。
【００７１】
前壁３１１ａは、縦枠部材３１の前面３１ｃと対向して配設される。前壁３１１ａは、矩形状に形成されている。前壁３１１ａは、止水板４の上下方向の長さ（高さ）より大きな高さを有する。前壁３１１ａは、縦枠部材３１の前面３１ｃの扉幅方向の幅より大きな幅を有する。側壁３１１ｂは、前壁３１１ａの扉幅方向の一端部において屋内空間側に延設されている。側壁３１１ｂは、縦枠部材３１の対向面３１ａと対向して配設される。側壁３１１ｂは、矩形状に形成されている。側壁３１１ｂは、前壁３１１ａと同じ高さを有する。側壁３１１ｂは、縦枠部材３１の対向面３１ａの奥行より大きな奥行を有する。側壁３１１ｂには、後述する２つの固定ねじ３１２と螺合するねじ孔が間隔を空けて２つ形成されている。側壁３１１ｃは、前壁３１１ａの扉幅方向の他端部において屋内空間側に延設されている。側壁３１１ｃは、縦枠部材３１の側面３１ｄと対向して配設される。側壁３１１ｃは、矩形状に形成されている。側壁３１１ｃは、前壁３１１ａと同じ高さを有する。側壁３１１ｃは、縦枠部材３１の対向面３１ａの奥行より小さい奥行を有する。側壁３１１ｃは、枠体３の縦枠部材３１や下枠部材３３の配設位置に合わせて下側に切欠部３１１ｄが設けられている。上壁３１１ｅは、前壁３１１ａの上端部において屋外空間側に延設されている。上壁３１１ｅは、止水板４の上面４ｄと対向して配設される。上壁３１１ｅは、矩形状に形成されている。上壁３１１ｅは、止水板４の厚さより大きな奥行を有する。
【００７２】
固定ねじ３１２は、支持部材３１０を縦枠部材３１に固定するものである。固定ねじ３１２は、側壁３１１ｂの上下方向に間隔を空けて２つ配設されている。
【００７３】
係止部材３１３は、止水板４を縦枠部材３１に固定するものである。係止部材３１３は、側壁３１１ｂの上下方向に間隔を空けて２つ配設されている。係止部材３１３は、主として、本体部３１３ａと、受金具３１３ｂと、を有する。受金具３１３ｂは、後述する被係止部材３２０のフック３２０ａの上下方向の長さよりも長くなっている。
【００７４】
押圧ねじ３１４は、止水板４の上面４ｄに対して上下方向に進退自在に配設されている。押圧ねじ３１４は、先端部が止水板４の上面４ｄに上方から当接可能である。押圧ねじ３１４を締結することにより、先端部が止水板４を床面Ｆに押圧する。
【００７５】
縦止水ゴム３１５は、上面視においてＬ字型に形成されている。縦止水ゴム３１５は、前壁３１１ａおよび側壁３１１ｃの屋内側面に配設されている。縦止水ゴム３１５は、止水板４が設置された状態で、支持部材３１０と枠体３の縦枠部材３１との間に介在する。このとき、縦止水ゴム３１５は、縦枠部材３１に押圧されて弾性変形している。このため、一対の縦止水ゴム３１５は、一対の縦枠部材３１に密着している。一対の縦止水ゴム３１５は、止水板４と一対の縦枠部材３１の当接部との間を水が流れることを抑制する。すなわち、縦止水ゴム３１５は、一対の縦枠部材３１において屋外空間側から屋内空間側に水が浸入することを抑制する。
【００７６】
底面止水ゴム３１６は、支持部材３１０の下端部で折り返された状態で前壁３１１ａの屋内側面の下側と屋外側面の下側とを挟んで配設されている。底面止水ゴム３１６は、底面止水ゴム６と少なくとも一部が当接し、隙間なく連続する位置に配設されている。底面止水ゴム３１６は、止水板４が設置された状態で、支持部材３１０と床面Ｆとの間に介在する。このとき、底面止水ゴム３１６は、床面Ｆに押圧されて弾性変形している。このため、底面止水ゴム３１６は、床面Ｆに密着している。底面止水ゴム３１６は、支持部材３１０と床面Ｆの当接部との間を水が流れることを抑制する。すなわち、底面止水ゴム３１６は、屋外空間側から屋内空間側に水が浸入することを抑制する。
【００７７】
被係止部材３２０は、止水板４の屋内側面４ａの扉幅方向の両端部における上側および下側に４つ配設されている。被係止部材３２０は、止水板４を正しい設置位置に位置させた際に係止部材３１３と対向する位置に配設されている。被係止部材３２０は、フック３２０ａを有している。フック３２０ａは、係止部材３１３の受金具３１３ｂに係止可能である。この被係止部材３２０を係止部材３１３に係止させることで、止水板４が支持部材３１０に押圧される。
【００７８】
上記のように構成される開口部の防水装置３００の使用方法について説明する。作業者は、支持部材３１０を縦枠部材３１に固定する。具体的に、作業者は、支持部材３１０の前壁３１１ａを縦枠部材３１の前面３１ｃに対向させ、支持部材３１０の側壁３１１ｂ，３１１ｃで縦枠部材３１の対向面３１ａと側面３１ｄを挟んだ状態にする。そして、作業者は、支持部材３１０を縦枠部材３１に押圧した状態で、固定ねじ３１２を締結して、支持部材３１０を縦枠部材３１に固定する。
【００７９】
そして、作業者は、開口部Ｏにおける止水板４の設置位置に、屋外空間側から止水板４を載置する。そして、止水板４が床面Ｆから垂直となった状態で、作業者は、止水板４を支持部材３１０に固定する。具体的に、被係止部材３２０のフック３２０ａを係止部材３１３の受金具３１３ｂに係止させた状態で、本体部３１３ａを締め込む。
【００８０】
開口部Ｏに設置された止水板４を取り外す際は、作業者は、一方の手で止水板４を把持した状態で、他方の手で係止部材３１３の本体部３１３ａを緩める。また、作業者は、押圧ねじ３１４を緩める。そして、作業者は、止水板４を開口部Ｏから取り外す。そして、作業者は、固定ねじ３１２を緩めて支持部材３１０を縦枠部材３１から取り外す。このようにして、開口部Ｏに設置された止水板４が取り外される。
【００８１】
以上で説明した実施形態に係る開口部の防水装置３００によれば、実施形態１と同様に、支持部材３１０は、縦枠部材３１に着脱自在である。
【００８２】
また、開口部Ｏへの止水板４の設置時は、固定ねじ３１２を締結して支持部材３１０を縦枠部材３１に固定して、押圧ねじ３１４を締結し、被係止部材３２０を係止部材３１３に係止させるだけで、止水板４は開口部Ｏに容易に設置される。また、開口部Ｏに設置された止水板４の取り外し時は、被係止部材３２０と係止部材３１３との係止を解除して、押圧ねじ３１４を緩めるだけで止水板４が支持部材３１０から取り外される。また、固定ねじ３１２を緩めるだけで支持部材３１０が縦枠部材３１から取り外される。開口部の防水装置３００は、止水板４の設置、取り外しに工具を必要とせず、誰でも短時間で容易に設置、取り外しができる。
【００８３】
また、開口部Ｏへの止水板４の設置時には、縦止水ゴム３１５は、縦枠部材３１に押圧されて弾性変形している。一対の縦止水ゴム３１５は、一対の縦枠部材３１に密着している。このため、縦止水ゴム３１５は、一対の縦枠部材３１において屋外空間側から屋内空間側に水が浸入することを抑制する。縦止水ゴム３１５は、縦枠部材３１に押圧されて弾性変形している。一対の底面止水ゴム３１６は、一対の縦枠部材３１に密着している。このため、底面止水ゴム３１６は、屋外空間側から屋内空間側に水が浸入することを抑制する。また、縦止水ゴム５は、被係止部材３２０を係止部材３１３と係止させることで一対の縦枠部材３１に押圧されて密着し弾性変形する。また、底面止水ゴム６は、押圧ねじ３１４によって床面Ｆに押圧されて密着し弾性変形する。このように縦止水ゴム５および底面止水ゴム６によって、止水板４と床面Ｆ、止水板４と一対の支持部材３１０との間を水が流れることが抑制される。すなわち、開口部の防水装置３００によって、屋外空間側から屋内空間側に水が浸入することを防止できる。
【００８４】
［実施形態６］
図１３ないし図１５を参照して、実施形態６について説明する。なお、実施形態１と同一部分には、同一符号を付して説明を省略する。実施形態６に係る開口部の防水装置３３０は、主として、支持部材３４０の構成が実施形態５と異なる。
【００８５】
支持部材３４０は、主として、実施形態５の前壁３１１ａ、側壁３１１ｂ、側壁３１１ｃ、上壁３１１ｅ、固定ねじ３１２、係止部材３１３、押圧ねじ３１４、縦止水ゴム３１５、底面止水ゴム３１６とそれぞれ同様に構成された、前壁３４１ａと、側壁３４１ｂと、側壁３４１ｃと、上壁３４１ｅと、固定ねじ３４２と、係止部材３４３と、押圧ねじ３４４と、縦止水ゴム３４５と、底面止水ゴム３４６と、を有する。また、前壁３４１ａおよび側壁３４１ｂの間の角部には、切欠部３１１ｆが形成されている。この切欠部３１１ｆは、後述する被係止部３６０を係止するものである。
【００８６】
被係止部３５０は、実施形態５の被係止部材３２０と同様に配設されている。本実施形態では、被係止部材３５０は、止水板４の屋内側面４ａの扉幅方向の両端部における上側に一対が配設されている。
【００８７】
被係止部３６０は、止水板４の屋内側面４ａの両端部における下側に配設されている。被係止部材３６０は、止水板４を正しい設置位置に位置させた際に切欠部３１１ｆと対向する位置に配設されている。被係止部材３６０は、フック３６０ａを有している。フック３６０ａは、切欠部３１１ｆに係止可能である。この被係止部材３６０を切欠部３１１ｆに係止させ、かつ、被係止部材３５０を係止部材３４３に係止させることで、止水板４が支持部材３４０に押圧される。
【００８８】
以上で説明した実施形態に係る開口部の防水装置３３０によれば、実施形態５と同様に、支持部材３４０は、縦枠部材３１に着脱自在である。また、開口部の防水装置３３０は、実施形態５と同様に、止水板４の設置、取り外しに工具を必要とせず、誰でも短時間で容易に設置、取り外しができる。
【００８９】
上記実施形態においては、開口部の防水装置１を開閉扉２が配設される開口部Ｏに設置するものとして説明したが、開閉扉２は止水板４と接触しないため、開閉扉２が配設されない開口部Ｏであっても開口部の防水装置１を適用することができる。
【００９０】
また、止水板４の設置時における開閉扉２の開閉が要求されない場合は、止水板４が開閉扉２と接触するように配設してもよい。例えば、止水板４の扉幅方向の中央部を、開閉扉２と接触させた状態で設置する。これにより、浸水時に止水板４に作用する水圧は、開閉扉２によっても支持される。このため、止水板４に要求される強度を低減することができる。
【００９１】
また、縦止水ゴム５は、短手方向（高さ方向）全長に亘って配設されているものとして説明したが、これに限定されるものではない。例えば、開口部の防水装置１が適用される場所の予測浸水時水位よりも高くなればよい。すなわち、縦止水ゴム５は、止水板４の底面から予測浸水時水位＋αの高さまで配設されていればよい。
【００９２】
なお、上述した本発明の実施形態に係る開口部の防水装置は、上述した実施形態に限定されず、特許請求の範囲に記載された範囲で種々の変更が可能である。本実施形態に係る開口部の防水装置は、以上で説明した各実施形態の構成要素を適宜組み合わせることで構成してもよい。
【符号の説明】
【００９３】
１  開口部の防水装置
２  開閉体（開閉扉）
３  枠体
３１  縦枠部材（方立）
３２  上枠部材
３３  下枠部材
４  止水板
５  縦止水ゴム（第１止水ゴム）
６  底面止水ゴム（第２止水ゴム）
７  支持部材
７２  第１当接部
７３  第２当接部
７４  押圧ねじ（押圧部材）
Ｓ  構造物
Ｏ  開口部
Ｗ  壁部
Ｆ  床面
【図１】
0006510860.tif 000002
【図２】
0006510860.tif 000003
【図３】
0006510860.tif 000004
【図４】
0006510860.tif 000005
【図５】
0006510860.tif 000006
【図６】
0006510860.tif 000007
【図７】
0006510860.tif 000008
【図８】
0006510860.tif 000009
【図９】
0006510860.tif 000010
【図１０】
0006510860.tif 000011
【図１１】
0006510860.tif 000012
【図１２】
0006510860.tif 000013
【図１３】
0006510860.tif 000014
【図１４】
0006510860.tif 000015
【図１５】
0006510860.tif 000016